(57)【要約】 【課題】  受信放送の視聴から通話動作に違和感なく遷ることのできる無線通信端末を実現すること。【解決手段】  ＣＰＵ１０は、テレビ部５０で受信されたテレビ放送のテレビ音声を音声出力部９０から出力させる。ＲＦブロック４０を介して電話の着信を検出すると、テレビ音声を音声出力部９０のスピーカＳＰ及びイヤホンＥの何れから音声出力しているかを判別する。ＣＰＵ１０は、イヤホンＥから音声出力していると判別した場合、イヤホンＥからのテレビ音声の出力を停止して、ＲＦブロック４０で受信された受話音声の音声出力に切り替えると共に、マイクアンプ８３の増幅率をイヤホン使用時マイク感度に合わせた増幅率に設定する。また、スピーカＳＰから音声出力していると判別した場合、スピーカＳＰからの音声出力をテレビ音声から受話音声に切り替えると共に、マイクアンプ８３の増幅率をハンズフリー時マイク感度に合わせた増幅率に設定する。【選択図】図２
2006254193.tif 000002
【特許請求の範囲】
【請求項１】
無線通信手段と、
この無線通信手段によって送信される音声を入力する音声入力手段と
第１の増幅率で増幅される音声を出力する第１の音声出力手段と、
この第１の増幅率より小さい増幅率で増幅される音声を出力する第２の音声出力手段と、
前記無線通信手段によって音声通話要求を検出する検出手段と、
この検出手段により音声通話要求を検出したとき、前記第１の音声出力手段が駆動しているか、前記第２の音声出力手段が駆動しているかを判別する判別手段と、
この判別手段による判別結果に基づいて、前記音声入力手段によって入力される音声の増幅率を調整する調整手段と、
を備えることを特徴とする無線通信端末。
【請求項２】
放送受信手段を更に備え、
前記第１の音声出力手段ならびに前記第２の音声出力手段は、この放送受信手段によって受信された音声を出力することを特徴とする請求項１に記載の無線通信端末。
【請求項３】
前記判別手段による判別結果に関わらず、前記放送受信手段によって受信された映像を表示する表示手段を更に備えることを特徴とする請求項２記載の無線通信端末。
【請求項４】
前記無線通信手段によって受信された情報に含まれる発呼者情報を検出する発呼者情報検出手段と、
前記発呼者情報検出手段により検出された発呼者情報を、前記放送受信手段により受信された映像と共に前記表示手段に表示するよう制御する表示制御手段と、
を更に備えることを特徴とする請求項３に記載の無線通信端末。
【請求項５】
前記第２の音声出力手段はイヤホンであり、
前記調整手段は、前記判別手段により前記イヤホンが駆動していると判別すると、前記音声入力手段によって入力されている音声の増幅率を前記第１の音声出力手段によって音声が出力されている場合と比較して小さくするよう調整することを特徴とする請求項１乃至４のいずれかに記載の無線通信端末。
【請求項６】
音声通話要求を検出する検出ステップと、
この検出ステップにて音声通話要求を検出したとき、夫々増幅率が異なる第１の音声出力手段と第２の音声出力手段とのうちのどちらが駆動しているかを判別する判別ステップと、
この判別ステップにて判別された結果に基づいて、音声通話する際に入力される音声の増幅率を調整する調整ステップと、
からなることを特徴とする増幅率調整方法。
【請求項７】
コンピュータに、
音声通話要求を検出する検出ステップと、
この検出ステップにて音声通話要求を検出したとき、夫々増幅率が異なる第１の音声出力手段と第２の音声出力手段とのうちのどちらが駆動しているかを判別する判別ステップと、
この判別ステップにて判別された結果に基づいて、音声通話する際に入力される音声の増幅率を調整する調整ステップと、
を実行させることを特徴とするプログラム。
【発明の詳細な説明】
【技術分野】
【０００１】
本発明は、無線通信端末、増幅率調整方法及びプログラムに関する。
【背景技術】
【０００２】
近年、通話音声を増幅してスピーカから出力することで、端末本体を把持することなく机等に設置して離れた場所からでも通話音声を聞くことのできる所謂ハンズフリー機能を搭載した携帯電話やＰＨＳ（Personal Handy Phone System）等の無線通信端末が普及している。この無線通信端末にはイヤホンが接続可能であり、イヤホンを接続するとスピーカから出力されていた通話音声が当該イヤホンから音声出力される。
【０００３】
また、無線通信端末は、多機能化が進んでおり、その１つとして地上波アナログテレビ放送や地上波デジタルテレビ放送（以下、総称して「テレビ放送」という。）、ラジオ放送等の受信がある。
【０００４】
例えば、テレビ放送を受信するテレビ受信機能付きの携帯電話は、無線通信による通話時の受話音声と、テレビ受信機能によるテレビ放送の音声との音声出力を行う。この携帯電話でテレビ放送を視聴しているときに電話の着信があった場合、テレビ放送の音声を一時的に停止してから通話動作に遷らなければない。そこで、電話の着信を検出した場合に、音声制御装置の音声出力を抑制して電話着信中のテレビ放送の音量を絞る方法が考案された（特許文献１参照）。
【特許文献１】特開２００２−２４７４９０号公報
【発明の開示】
【発明が解決しようとする課題】
【０００５】
ところで、テレビ放送を視聴する場合、公衆の場では携帯電話を把持してイヤホンを用いて視聴し、プライベートな空間では机等に設置しスピーカを用いて視聴するといったように、携帯電話の使用環境によってその視聴方法が選択可能である。また、視聴中に電話の着信があった場合には、特許文献１の方法にテレビ放送の音量を絞り、そのまま相手の通話音声を聞くことができる。
【０００６】
しかし、テレビ放送の視聴中に通話を行う場合、ユーザと携帯電話のマイクとの距離が一定ではなくなってしまい通話音声がマイクに届きにくくなってしまう場合がある。このため、ユーザは、イヤホンの使用時には携帯電話との距離が一定になるようにし、スピーカの使用時には、携帯電話に近づいてからわざわざ把持しなければならない。このように、その視聴方法によって通話を開始するまでの動作が変わってしまい、通話動作への移行がスムーズにならなかった。
【０００７】
本発明は、このような課題に鑑みて為されたものであり、その目的とするところは、受信放送の視聴から通話動作に違和感なく遷ることのできる無線通信端末を実現することである。
【課題を解決するための手段】
【０００８】
以上の課題を解決するために、請求項１に記載の無線通信端末は、
無線通信手段と、
この無線通信手段によって送信される音声を入力する音声入力手段と
第１の増幅率で増幅される音声を出力する第１の音声出力手段と、
この第１の増幅率より小さい増幅率で増幅される音声を出力する第２の音声出力手段と、
前記無線通信手段によって音声通話要求を検出する検出手段と、
この検出手段により音声通話要求を検出したとき、前記第１の音声出力手段が駆動しているか、前記第２の音声出力手段が駆動しているかを判別する判別手段と、
この判別手段による判別結果に基づいて、前記音声入力手段によって入力される音声の増幅率を調整する調整手段と、
を備えることを特徴としている。
【０００９】
請求項２に記載の発明は、請求項１に記載の無線通信端末であって、
放送受信手段を更に備え、
前記第１の音声出力手段ならびに前記第２の音声出力手段は、この放送受信手段によって受信された音声を出力することを特徴としている。
【００１０】
請求項３に記載の発明は、請求項２に記載の無線通信端末であって、
前記判別手段による判別結果に関わらず、前記放送受信手段によって受信された映像を表示する表示手段を更に備えることを特徴としている。
【００１１】
請求項４に記載の発明は、請求項３に記載の無線通信端末であって、
前記無線通信手段によって受信された情報に含まれる発呼者情報を検出する発呼者情報検出手段と、
前記発呼者情報検出手段により検出された発呼者情報を、前記放送受信手段により受信された映像と共に前記表示手段に表示するよう制御する表示制御手段と、
を更に備えることを特徴としている。
【００１２】
請求項５に記載の発明は、請求項１乃至４の何れかに記載の無線通信端末において、
前記第２の音声出力手段はイヤホンであり、
前記調整手段は、前記判別手段により前記イヤホンが駆動していると判別すると、前記音声入力手段によって入力されている音声の増幅率を前記第１の音声出力手段によって音声が出力されている場合と比較して小さくするよう調整することを特徴としている。
【００１３】
請求項６に記載の増幅率調整方法は、
音声通話要求を検出する検出ステップと、
この検出ステップにて音声通話要求を検出したとき、夫々増幅率が異なる第１の音声出力手段と第２の音声出力手段とのうちのどちらが駆動しているかを判別する判別ステップと、
この判別ステップにて判別された結果に基づいて、音声通話する際に入力される音声の増幅率を調整する調整ステップと、
からなることを特徴としている。
【００１４】
請求項７に記載のプログラムは、コンピュータに、
音声通話要求を検出する検出ステップと、
この検出ステップにて音声通話要求を検出したとき、夫々増幅率が異なる第１の音声出力手段と第２の音声出力手段とのうちのどちらが駆動しているかを判別する判別ステップと、
この判別ステップにて判別された結果に基づいて、音声通話する際に入力される音声の増幅率を調整する調整ステップと、
を実行させることを特徴としている。
【発明の効果】
【００１５】
請求項１、６及び７に記載の発明によれば、音声通話要求を検出したときに、第１１の音声出力手段と、第２の音声出力手段とのいずれが駆動しているかを判別し、その判別結果に基づいて、入力された音声（入力音声）の増幅率を調整する。これにより、ユーザの通話音声（入力音声）は、駆動している音声出力手段に応じて適切に増幅される。このため、ユーザは、音声出力手段の種別を意識することなく通話動作に移行することができる。
【００１６】
請求項２に記載の発明によれば、請求項１に記載の発明と同様の効果が得られるのは無論のこと、第１の音声出力手段ならびに第２の音声出力手段は、放送受信手段により受信された音声（音声放送）を出力する。このため、ユーザは、音声出力手段から音声放送を聞いていた場合にも、その音声出力手段の種別を意識することなく通話動作に移行することができる。
【００１７】
請求項３に記載の発明によれば、請求項２に記載の発明と同様の効果が得られるのは無論のこと、第１の音声出力手段ならびに第２の音声出力手段のいずれが駆動しているかに関わらず、放送受信手段により受信された映像（受信映像）を表示する。このため、ユーザは、音声通話要求の検出後も、引き続き受信映像を見ることができる。
【００１８】
請求項４に記載の発明によれば、請求項３に記載の発明と同様の効果が得られるのは無論のこと、検出した発呼者情報を受信映像と共に表示するため、放送の視聴を遮ることなく、ユーザに音声通話の着信を報知することができる。
【００１９】
請求項５に記載の発明によれば、請求項１乃至４のいずれかに記載の発明と同様の効果が得られるのは無論のこと、イヤホン（第２の音声出力手段）の駆動時には、音声入力手段により入力されている音声の増幅率を、第１の音声出力手段によって音声が出力されている場合と比較して小さくするように調整する。このため、イヤホンの使用時、即ちハンズフリー機能時に、ユーザの通話音声を増幅しすぎることなく、適切に増幅することができる。従って、ユーザは、受信放送をイヤホンで聞いている状態でそのまま通話に移行することができる。
【発明を実施するための最良の形態】
【００２０】
〔実施形態〕
以下、本発明の無線通信端末を地上波デジタルテレビ放送の受信機能を搭載した携帯電話に適用した場合の実施形態について図１〜図６を参照して詳細に説明する。
【００２１】
先ず、図１は携帯電話１の正面図及び背面図の一例である。同図に示すように、携帯電話１は、受話音声やテレビ音声等を音声出力するスピーカＳＰ、ユーザの音声を入力するマイクＭ、テレビ放送の受信や無線電波の受信を行うアンテナＡＮＴ、メインディスプレイ６３、サブディスプレイ６５、操作入力キー群７００、着脱可能な充電池１１０及びイヤホンジャック９９を備え、ヒンジ３によって折り畳み可能に構成されている。
【００２２】
操作入力キー群７００は、カーソルキー７１０、決定キー７２０、ＴＶキー７３０、メニュキー７４０、クリアキー７５０、通話開始（オフフック）キー７６０及び通話終了（オンフック）キー７７０等により構成される。
【００２３】
カーソルキー７１０は、画面のスクロールや選択操作を行うためのキーあり、上下左右の４方向を検知可能に構成される。ユーザは、例えば、図５のようにメニュボタンＢ３がメインディスプレイ６３に表示されている際にメニュキー７４０を押下することによってメニュリストを表示させる。そして、そのメニュリストから機能の選択や設定内容の変更をカーソルキー７１０を押下（オン）することによって行い、更に決定キー７２０の押下により機能の選択や設定内容の変更を決定・確定し、携帯電話１の各種設定を行う。
【００２４】
ＴＶキー７３０は、携帯電話１のテレビ機能を起動させるためのキーである。このＴＶキー７３０を押下することにより、図５（ａ）のようにメインディスプレイ６３上にテレビ映像を表示するテレビウィンドウＷ１が表示されると共に、イヤホンＥ又はスピーカＳＰからテレビ音声が出力される。尚、このＴＶキー７３０が押下されることにより、本実施形態に係るテレビ機能時着信通話処理（図４参照）が実行される。
【００２５】
また、テレビ機能の起動中に同５（ａ）のようにＥＰＧボタンＢ１が表示されている場合、ＴＶキー７３０はＥＰＧ（Electronic Program Guide：電子番組ガイド）データを表示させるためのキーとして働く。ＥＰＧデータは、現在放送中又は放送する予定のテレビ番組の情報であり、チャンネル、日付、開始時間、タイトル、内容等が含まれている。
【００２６】
クリアキー７５０は、入力内容をクリアしたり、表示画面を直前の画面に戻したりするためのキーである。通話開始キー７６０は、電話の発信時や着信時に電話回線に接続するためのキーであり、通話終了キー７７０は、電話回線との接続を切断するためのキーである。また、通話終了キー７７０は、携帯電話１の電源スイッチとしても機能し、所定時間（例えば、３秒）の間押下され続けると、携帯電話１の電源の投入／遮断（オン／オフ）の切り替えが行われる。
【００２７】
イヤホンジャック９９は、イヤホンＥのプラグを挿入可能に形成されている。ユーザは、イヤホンジャック９９にイヤホンＥを挿入して携帯電話１に接続することで、スピーカＳＰの音声出力（駆動）をイヤホンＥの音声出力（駆動）に切り替えることができる。
【００２８】
図２は、携帯電話１の機能構成の一例を示すブロック図である。同図によれば、携帯電話１は、ＣＰＵ１０と、プログラムメモリ２０と、フラッシュメモリ３０と、電話用アンテナＡＮＴ１によって通話信号や発呼者データの送受信を行うＲＦブロック４０、テレビ部５０と、表示部６０と、入力部７０と、音声入力部８０と、音声出力部９０と、電源部１００とを備えて構成される。
【００２９】
ＣＰＵ１０は、入力される指示に応じて所定のプログラムに基づいた処理を実行し、各機能部への指示やデータの転送を行う中央演算装置である。具体的にＣＰＵ１０は、入力部７０から入力される操作信号に応じてプログラムメモリ２０に格納されたプログラムを読み出し、当該プログラムに従った処理を実行する。そして、その処理結果を表示部６０に出力して、メインディスプレイ６３やサブディスプレイ６５に表示させる。
【００３０】
尚、本実施形態におけるＣＰＵ１０は、ＤＳＰ（Digital Signal Processor）を内蔵することとしても良いし、ソフト的にＤＳＰとして機能することとしてもよい。ＤＳＰとは、デジタル信号処理用プロセッサのことであり、音声信号や映像信号を符号化したり、デジタルデータを復号して音声データや映像データを抽出したりする。
【００３１】
プログラムメモリ２０は、ＮＯＲ  Ｆｌａｓｈメモリで構成され、各種初期設定、ハードウェアの検査及び各種機能の実行等、携帯電話１の動作に必要なプログラムや、そのプログラムの実行に係るデータを格納する。図３（ａ）は、プログラムメモリ２０のデータ構成の一例を示す図である。
【００３２】
同図（ａ）によれば、プログラムメモリ２０は、テレビ機能時着信通話処理を実現するためのテレビ機能時着信通話プログラム２００を記憶している。ＣＰＵ１０は、ＴＶキー７３０が押下されたことを検知すると、テレビ機能時着信通話プログラム２００をプログラムメモリ２０から読み出して展開することで、テレビ機能時着信通話処理を開始する。
【００３３】
フラッシュメモリ３０は、読み書き可能な不揮発性メモリであり、携帯電話１の動作に係る各種機能を実現するためのデータやアプリケーションプログラム等を格納する。図３（ｂ）にフラッシュメモリ３０のデータ構成の一例を示す。同図（ｂ）によれば、フラッシュメモリ３０は、電話帳データベース（以下、「ＤＢ」という。）３００、着信番号３１０、イヤホン音量３２０、スピーカ音量３３０、イヤホン使用時マイク感度３４０及びハンズフリー時マイク感度３５０を記憶している。
【００３４】
電話帳ＤＢ３００は、氏名と電話番号とを対応付けて蓄積記憶するデータテーブルであり、ユーザにより編集可能に構成される。着信番号３１０は、着信した相手先の電話番号である。ＣＰＵ１０は、ＲＦブロック４０から入力された発呼者データ（発呼者情報）に基づいて着信番号を取得して、フラッシュメモリ３０に記憶する。このとき、ＣＰＵ１０は、着信番号３１０と同一の電話番号を電話帳ＤＢ３００から検索し、当該電話番号に対応する氏名を送信相手先としてメインディスプレイ６３に表示させる。また、着信番号３１０が電話帳ＤＢ３００に記憶されていなかった場合は、着信番号３１０をそのままメインディスプレイ６３に表示させる。
【００３５】
イヤホン音量３２０は、イヤホンＥから出力する音声の音量であり、スピーカ音量３３０は、スピーカＳＰから出力する音声の音量である。イヤホン音量３２０及びスピーカ音量３３０は、テレビ音声用のテレビ音量と、通話時の受話音声用の受話音量とをそれぞれ有しており、ユーザが任意の音量を設定可能である。イヤホンＥがイヤホンジャック９９に接続されている場合、ＣＰＵ１０は、イヤホン音量３２０のテレビ音量でテレビ音声を、受話音量で受話音声をイヤホンＥから音声出力させる。また、スピーカＳＰから音声出力を行うハンズフリー機能時には、スピーカ音量３３０のテレビ音量でテレビ音声を、受話音量で受話音声をスピーカＳＰから音声出力させる。
【００３６】
イヤホン使用時マイク感度３４０は、イヤホンＥが接続されている場合のマイクＭの感度であり、例えば約５０ｃｍ範囲内で発生した音声を充分に入力可能なように設定されている。ハンズフリー時マイク感度３５０は、ハンズフリー機能時のマイクＭの感度であり、例えば約２ｍ範囲内で生じた音声を充分に入力可能なように、イヤホン使用時マイク感度３４０よりも高感度に設定されている。
【００３７】
ＣＰＵ１０は、イヤホンＥがイヤホンジャック９９に接続されている場合にマイクＭの感度をイヤホン使用時マイク感度３４０に設定し、ハンズフリー機能時にはマイクＭの感度をハンズフリー時マイク感度３５０に設定する。このように、イヤホンＥ及びスピーカＳＰの何れから音声が出力されているかよってマイクＭの感度を切り替えることにより、ユーザの送話音声を適度な音量で入力可能にする。
【００３８】
ＲＦブロック４０は、ＣＰＵ１０から入力される指示に基づき、アンテナＡＮＴに内蔵された電話用アンテナＡＮＴ１を介して無線通信網（無線電話網を含む）上の無線基地局との間で音声通話要求や音声通話、発呼者データの無線通信を行う。より具体的には、無線基地局から送信される信号を電話用アンテナＡＮＴ１で受信し、当該信号を増幅及び復調することで、音声通話要求信号、受話音声データ及び発呼者データを取得してＣＰＵ１０に出力する。
【００３９】
ＣＰＵ１０は、音声通話要求信号により電話の着信を検出すると、先ず、音声出力部９０に着信検出信号を出力して着信音をスピーカＳＰ及びイヤホンＥから出力させる。そして、通話開始キー７６０の押下を検知した場合に、受話音声データを音声出力部９０に出力することでスピーカＳＰ及びイヤホンＥから受話音声を音声出力させて受話を開始する。但し、テレビ機能時には着信音の音声出力は行わず、送信相手先をテレビ映像と共にメインディスプレイ６３に表示させることで、電話の着信を報知する。
【００４０】
また、通話開始キー７６０が押下された後に送話を開始し、音声入力部８０から入力された送話音声データを変調して、電話用アンテナＡＮＴ１を介して無線基地局へ送信する。ＲＦブロック４０と無線基地局間で送受信される信号は、音声信号を送受信するための無線信号であり、無線信号の変復調方式としては、ＰＤＣ（Personal Digital Cellular）方式、ＣＤＭＡ（Code Division Multiple Access）方式、ＧＳＭ（Global System for Mobile communication）方式等の各種公知技術の何れを利用することとしてもよい。
【００４１】
テレビ部５０は、音声及び映像を含む地上波デジタルＴＶ放送を受信するための回路ブロックである。テレビ部５０は、チューナー部５１と、ＯＦＤＭ（Orthogonal Frequency Division Multiplexing：直交周波数分割多重方式）復調部５３と、映像復号部５５と、音声復号部５７と、データ復号部５９と、アンテナＡＮＴに内蔵されたテレビ用アンテナＡＮＴ３とを備えて構成されている。ＣＰＵ１０は、ユーザによりＴＶキー７３０が押下されたことを検知すると、テレビ部５０を駆動する。そして、テレビ部５０によって受信されたテレビ放送をメインディスプレイ６３に映像出力、スピーカＳＰ又はイヤホンＥに音声出力させることでテレビ機能を実現する。
【００４２】
チューナー部５１は、テレビ用アンテナＡＮＴ３を同調させることによって、ユーザにより選局された放送局のチャンネルに対応する周波数の信号（ＯＦＤＭ変調信号）を受信し、ＯＦＤＭ復調部５３に出力する回路部である。
【００４３】
ＯＦＤＭ復調部５３は、チューナー部５１から出力されたＯＦＤＭ変調信号を復調し、映像復号部５５、音声復号部５７及びデータ復号部５９に出力する回路部である。ＯＦＤＭ変調信号を復調する方法は公知であるが、簡単に説明すると、ＯＦＤＭ復調部５３は、チューナー部５１から入力されたＯＦＤＭ変調信号をＡ／Ｄ変換する。そして、変換後のデジタル信号に対し、同期処理、ＦＦＴ演算（Fast Fourier Transform）、誤り訂正処理を実行することによりＴＳ（Transport Stream：トランスポート・ストリーム）を抽出する。そして、抽出したＴＳから映像信号、音声信号及びＥＰＧデータ信号を分離し、映像信号を映像復号部５５に、音声信号を音声復号部５７に、ＥＰＧデータ信号をデータ復号部５９にそれぞれ出力する。
【００４４】
映像復号部５５は、入力された映像信号を復号しテレビ映像データとして、音声復号部５７は、入力された音声信号を復号しテレビ音声データとしてＣＰＵ１０に出力する。ＣＰＵ１０は、映像復号部５５から入力された映像データを表示部６０に出力して、メインディスプレイ６３にテレビ映像を映像出力させ、また、音声復号部５７から入力されたテレビ音声データを音声出力部９０に出力して、スピーカＳＰ又はイヤホンＥにテレビ音声を音声出力させる。ここで、映像信号又は音声信号はＭＰＥＧ（Moving Picture Experts Group）等の何れかの公知技術で符号化されており、符号化された方式に対応する復号方式で復号する。
【００４５】
データ復号部５９は、入力されたＥＰＧデータ信号を復号して、ＥＰＧデータとしてＣＰＵ１０へ出力する。ＣＰＵ１０は、データ復号部５９から入力されたＥＰＧデータを、表示部６０に出力してテレビ番組表としてメインディスプレイ６３に表示させる。
【００４６】
表示部６０は、表示ドライバ６１と、メインディスプレイ６３と、サブディスプレイ６５とを備えて構成される。表示ドライバ６１は、ＣＰＵ１０から入力される表示データに基づいてメインディスプレイ６３及びサブディスプレイ６５に各種画面を表示させる。メインディスプレイ６３及びサブディスプレイ６５は、携帯電話１の各種情報やテレビ放送等を表示するための表示装置であり、ＬＣＤ（Liquid Crystal Display）やＥＬＤ（Electro Luminescence Display）等で構成される。ＣＰＵ１０は、携帯電話１が折り畳まれたことを検知すると、メインディスプレイ６３の表示を消灯し、サブディスプレイ６５に簡易的な画面を表示させる。
【００４７】
入力部７０は、プログラムの実行開始の指示入力や、各種情報の入力に必要なキー群を備えた入力装置であり、ユーザによって押下されたキーの押下信号をＣＰＵ１０に出力する。尚、この入力部７０は、図１に示す操作入力キー群７００に相当するものである。電源部１００は、ＡＣアダプタや充電池１１０、電源ＩＣ等により構成され、ＣＰＵ１０から入力される指示に基づいて、各機能部への電源供給を行う。
【００４８】
音声出力部９０は、ＣＰＵ１０から入力される受話音声データやテレビ音声データに基づいた音声をスピーカＳＰ及びイヤホンＥの何れかに音声出力させる機能部であり、検出部９１、音源ＩＣ９３、Ｄ／Ａ変換器９５、スピーカアンプ９７、スピーカＳＰ、イヤホンＥ、可変抵抗Ｒ３、スイッチＳＷ１及びＳＷ３を備えて構成される。
【００４９】
音源ＩＣ９３は、着信音の音声データ（以下、「着信音データ」という。）を記憶して、ＣＰＵ１０から着信検出信号が入力された場合に、着信音データをＤ／Ａ変換器９５に出力する。Ｄ／Ａ変換器９５は、音源ＩＣ９３から入力された着信音データ、ＣＰＵ１０から入力された受話音声データ及びテレビ音声データ（デジタル）をＤ／Ａ変換して、着信音信号、受話音声信号及びテレビ音声信号（アナログ）を生成する。
【００５０】
検出部９１は、イヤホンＥ及びスピーカＳＰの何れが駆動しているかを検出する回路部である。検出部９１は、例えば、イヤホンＥがイヤホンジャック９９に挿入されているかを電気的に検出し、イヤホンＥの挿入を検出した場合は、イヤホンＥの駆動を表す検出信号を、挿入されていなかった場合は、スピーカＳＰの駆動を表す検出信号をＣＰＵ１０に出力する。
【００５１】
ＣＰＵ１０は、検出部９１から入力された検出信号に基づいてスピーカＳＰが駆動している判定した場合は、スイッチＳＷ１をオン、スイッチＳＷ３をオフにする。このとき、Ｄ／Ａ変換器９５により生成された受話音声信号及びテレビ音声信号は、スピーカアンプ９７に出力される。ＣＰＵ１０は、スピーカ音量３３０に基づいてスピーカアンプ９７に接続された可変抵抗Ｒ３を制御して、受話音声信号及びテレビ音声信号を増幅してスピーカＳＰに音声出力させる。
【００５２】
一方、ＣＰＵ１０は、イヤホンＥが駆動していると判定した場合は、スイッチＳＷ１をオフ、スイッチＳＷ３をオンにする。このとき、ＣＰＵ１０は、Ｄ／Ａ変換器９５を制御して、イヤホン音量３２０に基づいた音量の受話音声及びテレビ音声が出力されるように受話音声信号及びテレビ音声信号を増幅してイヤホンＥに音声出力される。これにより、通話時の受話音声が予め設定された受話音量で、テレビ機能時のテレビ音声が予め設定されたテレビ音量でスピーカＳＰ及びイヤホンＥから出力されるようになる。
【００５３】
音声入力部８０は、マイクＭにて入力される音声を、送話音声データとしてＣＰＵ１０へ出力する機能部であり、Ａ／Ｄ変換器８１、マイクアンプ８３、マイクＭ及び可変抵抗Ｒ１を備えて構成される。ＣＰＵ１０は、ＲＦブロック４０を介して着信した電話の着信音の出力後、通話開始キー７６０の押下を検知すると、音声入力部８０を駆動して音声の入力を開始する。
【００５４】
マイクＭで入力された送話音声は、電気信号の送話音声信号に変換された後、マイクアンプ８３によって増幅される。そして、Ａ／Ｄ変換器８１は、増幅後の送話音声信号（アナログ）をＡ／Ｄ変換して生成した送話音声データ（デジタル）をＣＰＵ１０に出力する。ＣＰＵ１０は、ＲＦブロック４０を介して送話音声データを送信する。
【００５５】
ここで、音声入力部８０の送話音声信号の増幅方法について説明する。上述したようにＣＰＵ１０は、検出部９１から出力される検出信号に基づいてイヤホンＥ及びスピーカＳＰの何れが駆動して音声出力しているかを判別する。そして、イヤホンＥから音声出力されていると判別した場合、ＣＰＵ１０は、マイクアンプ８３の増幅率がイヤホン使用時マイク感度３４０に合わせた増幅率（第１の増幅率）となるように可変抵抗Ｒ１を調整制御する。スピーカＳＰから音声出力されている、即ちハンズフリー機能で使用されていると判別した場合、ＣＰＵ１０は、マイクアンプ８３の増幅率がハンズフリー時マイク感度３５０に合わせた増幅率（第２の増幅率）となるように可変抵抗Ｒ１を調整制御する。
【００５６】
ここで、第１の増幅率のまま送話音声を増幅した場合、音声入力部８０は、例えば５０ｃｍ範囲内の音声が入力可能である。このため、ハンズフリー機能時に例えば約２ｍ離れた場所で発せられたユーザの音声は充分に増幅することができず、通話の相手先に送信する送話音声の音量が小さくなってしまう。本実施形態では、ハンズフリー機能で使用されている場合には音声入力部８０の増幅率を第１の増幅率よりも高い第２の増幅率に変更することで、ある程度離れた場所で発せられたユーザの音声も適度な音量に調整・増幅してから相手先に送信することができる。
【００５７】
また、予め第２の増幅率に設定した場合、ユーザがイヤホンＥを使用して携帯電話１に近接して発声すると、そのユーザの音声を増幅しすぎ、送話音声の音量が大きすぎたり音割れを起こしたりすることがある。本実施形態では、イヤホンＥの使用時には第１の増幅率で増幅することで、近接した場所で発せられたユーザの音声を適度な音量で送信することができる。
【００５８】
次に、図５及び６のメインディスプレイ６３の画面遷移例を参照しながら、図４のフローチャートを用いて携帯電話１のテレビ機能時着信通話処理の具体的な処理内容を説明する。
【００５９】
先ず、イヤホンＥが接続されて携帯電話１が使用された場合について説明する。ＣＰＵ１０は、ユーザによりＴＶキー７３０が押下されたことを検知すると、テレビ部５０を駆動して、テレビ放送の受信を開始する。そして、テレビ映像をメインディスプレイ６３のテレビウィンドウＷ１に表示させると共に、イヤホン音量３２０で定められたテレビ音量でテレビ音声をイヤホンＥから出力させる（図５（ａ）参照）。
【００６０】
また、ＣＰＵ１０は、ＴＶキー７３０の押下を検知した際に、テレビ機能時着信通話処理を開始し、ＲＦブロック４０を介して電話の着信を検出すると（ステップＳ１）、着信番号３１０を電話帳ＤＢ３００から検索して、図５（ｂ）のように送信相手先の氏名をサブウィンドウＷ３で表示させる（ステップＳ３）。このように、メインディスプレイ６３にテレビ映像と共に送信相手先を表示することで、ユーザのテレビ放送の視聴を邪魔することなく電話の着信をユーザに報知することができる。
【００６１】
次いで、ユーザの通話開始キー７６０の押下を検出したら（ステップＳ５）、音声の出力先を判別する（ステップＳ７）。ＣＰＵ１０は、検出部９１が出力する検出信号に基づいて、音声の出力先がイヤホンＥであると判別した場合（ステップＳ７：イヤホン）、音声出力部９０に対するテレビ音声データの出力を停止して、イヤホンＥからのテレビ音声の出力を停止する（ステップＳ９）。
【００６２】
そして、イヤホン音量３２０に基づいてイヤホンＥの音量を受話音量に設定すると共に、ＲＦブロック４０から入力される受話音声データに基づいて受話音声の音声出力をイヤホンＥから行う。これにより、イヤホンＥからの音声出力をテレビ音声から受話音声に切り替えて受話を開始する（ステップＳ１１）。
【００６３】
ＣＰＵ１０は、マイクＭをイヤホン使用時マイク感度３４０に設定して送話を開始する（ステップＳ１３）。このとき、図５（ｃ）のように、イヤホンＥから相手先からの受話音声が出力され、通話ウィンドウＷ５に通話時間と通話中である旨とが表示される。この通話ウィンドウＷ５の表示中は、図５（ｂ）のＥＰＧボタンＢ１がＴＶボタンＢ５に替わる。ユーザは、このときＴＶキー７３０を押下することで、通話ウィンドウＷ５を閉じてテレビウィンドウＷ１全体を表示させることができる。
【００６４】
また、ユーザは、イヤホンＥでテレビ放送を視聴しているとき、そのイヤホンＥを装着したまま小声で通話することができる。このため、例えば、喫茶店や公園等の公衆の場でテレビ放送を視聴していた場合に、イヤホンＥのまま自然な形で通話動作に移行することができる。
【００６５】
次に、ハンズフリー機能で携帯電話１が使用された場合について説明する。ＣＰＵ１０は、図６（ａ）のようにテレビウィンドウＷ１に表示させると共に、スピーカ音量３３０で定められたテレビ音量でテレビ音声をスピーカＳＰから出力させる。そして、電話の着信を検出すると（ステップＳ１）、送信相手先の氏名をサブウィンドウＷ３で表示させる（ステップＳ３；図６（ｂ）参照）。
【００６６】
ＣＰＵ１０は、通話開始キー７６０の押下を検出後（ステップＳ５）、検出部９１が出力する検出信号からイヤホンＥが接続されていないと判断して、音声の出力先がスピーカＳＰであると判定した場合（ステップＳ７；スピーカ）、音声出力部９０に対するテレビ音声データの出力を停止して、スピーカＳＰからのテレビ音声の出力を停止する（ステップＳ１５）。
【００６７】
そして、スピーカ音量３３０に基づいてスピーカＳＰの音量をハンズフリー機能時の受話音量に設定して、受話音声の音声出力をスピーカＳＰから行うことで、スピーカＳＰからの音声出力をテレビ音声から受話音声に切り替えて受話を開始する（ステップＳ１７）。
【００６８】
ＣＰＵ１０は、マイクＭをハンズフリー時マイク感度３５０に設定して送話を開始する（ステップＳ１９）。このとき、ユーザが発する音声は例えば、携帯電話１を机に置いたままでも相手先に充分な音量で通話の相手先に送信される。このため、ユーザは、わざわざ携帯電話１を把持して顔を近接する必要がなく、例えば、車中や個室等のプライベートな空間でテレビ放送を視聴していた場合に、ハンズフリーのままムーズに通話に移行することができる。
【００６９】
また、イヤホンＥやスピーカＳＰの音声出力がテレビ音声から受話音声に切り替わるが、その切り替えに関わらずメインディスプレイ６３にはテレビ映像が継続して表示される。このため、ユーザは、テレビ音声によって通話が邪魔されることがなく、通話しながらテレビ映像を見ることができる。
【００７０】
以上、本実施形態によれば、音声出力にイヤホンＥ及びスピーカＳＰの何れが使用されているかを判別し、イヤホンＥが使用されている場合は、マイクＭの感度をイヤホン使用時用のマイク感度に設定し、スピーカＳＰが使用されている場合は、イヤホンＥの使用時よりもマイクＭの感度を高感度（ハンズフリー時マイク感度３５０）に変更する。
【００７１】
これにより、イヤホンＥ及びスピーカＳＰのどちらが使用されていても、ユーザの送話音声を適度な音量で相手先に送信することができる。このため、ユーザは、イヤホンＥを用いてテレビ放送を視聴している場合も、スピーカＳＰを用いてテレビ放送を視聴している場合でも、その視聴方法を気にすることなくそのままの状態で通話動作に違和感なく遷ることができる。
【００７２】
尚、上述した実施形態では、ＣＰＵ１０が、検出部９１の検出信号に基づいて、マイクアンプ８３の増幅率を設定変更することとしたが、例えば、検出部９１がイヤホンＥ及びスピーカＳＰの何れが使用されているかに基づいてマイクアンプ８３の増幅率を設定変更することとしてもよいし、ＣＰＵ１０が、検出部９１の機能を実行することとしてもよい。
【００７３】
また、本実施形態の携帯電話１は、地上波デジタルテレビ放送の受信を行うこととして説明したが、例えば、地上波アナログテレビ放送の受信を行ってテレビ映像の表示及びテレビ音声の出力を行うこととしてもよいし、また、ＦＭラジオ放送やＡＭラジオ放送の受信を行ってラジオ放送を音声出力することとしてもよい。但し、ラジオ放送の受信する場合は、映像の表示出力は行わない。
【００７４】
また、本実施形態では携帯電話１に内蔵されたマイクＭで受話音声の入力を行うこととしたが、例えば、イヤホンとマイクとが一体的に形成されたイヤホンマイクによって音声入力することとしてもよい。具体的には、イヤホンマイクが使用されている場合は、例えば約１０ｃｍ範囲内で発生した音声（接話時の音声）を充分に音声入力可能なようにイヤホンマイクの感度を接話用に設定し、イヤホンマイクが使用されていない場合は、携帯電話１のマイクＭの感度をハンズフリー時用に設定する。これにより、ユーザは、携帯電話１と顔の距離を気にすることなく、テレビ放送の視聴から通話に移行することができる。
【００７５】
また、本発明の無線通信端末を携帯電話に適用することとして説明したが、例えば、テレビ放送やラジオ放送の受信機と音声通信を行う無線通信機と内蔵したＰＤＡ（Personal Digital Assistant）、ＰＨＳ等の電子機器に適用可能である。
【００７６】
また、本実施形態では、地上波デジタル放送受信機能を備えた無線通信端末に本発明を適用させた場合について述べたが、これに限定されること無く、例えば、オーディオプレーヤー機能を備えた無線通信端末であってもよい。
【図面の簡単な説明】
【００７７】
【図１】本発明を適用した携帯電話の概観の一例。
【図２】携帯電話の機能構成の一例を示すブロック図。
【図３】（ａ）はプログラムメモリ、（ｂ）はフラッシュメモリのデータ構成の一例を示す図。
【図４】テレビ機能時着信通話処理を説明するためのフローチャート。
【図５】携帯電話の画面遷移の一例を示す第１の図。
【図６】携帯電話の画面遷移の一例を示す第２の図。
【符号の説明】
【００７８】
１        携帯電話
１０      ＣＰＵ（検出手段、判別手段、発呼者情報検出手段、表示制御手段）
２０      プログラムメモリ
２００    テレビ機能時着信通話プログラム（検出手段、判別手段、発呼者情報検出手段、表示制御手段）
３０      フラッシュメモリ
４０      ＲＦブロック（無線通信手段）
ＡＮＴ１  電話用アンテナ（無線通信手段）
５０      テレビ部（放送受信手段）
ＡＮＴ３  テレビ用アンテナ
５１      チューナー部
５３      復調部
５５      映像復号部
５７      音声復号部
５９      データ復号部
６０      表示部（表示手段）
６１      表示ドライバ
６３      メインディスプレイ
６５      サブディスプレイ
７０      入力部
８０      音声入力部
８１      Ａ／Ｄ変換器
８３      マイクアンプ（調整手段）
Ｍ        マイク（音声入力手段）
Ｒ１      可変抵抗
９０      音声出力部
９１      検出部
９３      音源ＩＣ
９５      Ｄ／Ａ変換器
９７      スピーカアンプ
９９      イヤホンジャック
Ｅ        イヤホン（第２の音声出力手段）
ＳＰ      スピーカ（第１の音声出力手段）
１００    電源部
【図１】
2006254193.tif 000003
【図２】
2006254193.tif 000004
【図３】
2006254193.tif 000005
【図４】
2006254193.tif 000006
【図５】
2006254193.tif 000007
【図６】
2006254193.tif 000008